(57)【要約】【課題】岩や石、木等のある程度の高さをもった被植栽体に対してイワヒバ株を植え付ける方法を提案する。【解決手段】イワヒバ株３を植え付けるための被植栽体１に対して、当該イワヒバ株３の植付け箇所に応じた位置に穴２を開削し、被植栽体１表面における穴２が開削された位置にイワヒバ株３の根を密着させた上で、当該イワヒバ株３の根を介して穴２に木製の棒体４を打ち込み、打ち込んだ棒体４が根により被覆される長さまで切り落とす。【選択図】図４
2007312729.tif 000002
【特許請求の範囲】
【請求項１】
イワヒバ株を植え付けるための被植栽体に対して、当該イワヒバ株の植付け箇所に応じた位置に穴を開削する工程と、
上記被植栽体表面における上記穴が開削された位置にイワヒバ株の根を密着させた上で、当該イワヒバ株の根を介して上記穴に木製の棒体を打ち込む工程と、
上記打ち込んだ棒体が上記根により被覆される長さまで切り落とす工程とを有すること
を特徴とするイワヒバ株の植付け方法
【請求項２】
上記開削すべき穴の深さは１．５〜２．０ｍｍであること
を特徴とする請求項１記載のイワヒバ株の植付け方法
【発明の詳細な説明】
【技術分野】
【０００１】
本発明は、古典的園芸植物であるイワヒバを被植栽体に植え付けるイワヒバ株の植付け方法に関するものである。
【背景技術】
【０００２】
イワヒバは、樹上や岩、石等に着生している天然のシダ植物であり、従来より愛好家より採取されて観賞用に培養される古典的園芸植物である。イワヒバは、枝が放射状に密生して羽状に分岐しており、濃緑色で鱗片状の葉を有している。
【０００３】
イワヒバは、春から夏頃にかけての比較的雨の多い季節には生長を続ける。１０月頃になり、徐々に気温が低下するにつれて、今まで伸ばしてきた葉を内側に巻き込む。そして、厳寒の季節に入ると、この巻き込まれた葉は暗褐色の枯葉同様となり、激しい寒気に耐えながらも春の蘇生の季節を待つ。春になり気温が上昇し、暖雨が降り注ぐようになると、この巻き込まれた葉は再びもとの美しさを取り戻す。
【０００４】
このようにイワヒバは、その葉を一度枯死の状態とした上で、翌春には青々と若返る、独自の特質を持っている。
【０００５】
また、イワヒバは、その殆どが胞子発芽によって増殖していくことになる。夏から秋にかけて葉先の一部には小胞子（雄性）が、下方には大胞子（雌性）が形成され、これらから作られた胞子は、成熟すると飛び散り、一面に撒かれることになる。即ち、大胞子から出た胞子は蔵卵器となり、小胞子から出た胞子は精子となり、受精が行われて胚を作ることになる。この受精した大胞子内の胚が生長して１本のイワヒバとなる。
【０００６】
ところで、このイワヒバを観賞用に培養する場合には、イワヒバ株を鉢に植えることにより行うのが通常であった。植え方は、鉢の底に粗粒礫やゴロ石等を入れ、その上に１／４くらいまで指頭大の粗粒を入れる。さらに、その上に大豆粒から小豆粒に至るまで振るい分けた培養土を入れ、イワヒバ株を中央に置きつつその周りにも培養土を入れることにより植え込んでいく。さらにその上に、米粒大の化粧土を載せるか、ミズゴケを表面に敷く。最後に十分灌水した上で、鉢を１週間程度日陰に載置し、その後徐々に太陽に当てていく。
【発明の開示】
【発明が解決しようとする課題】
【０００７】
ところで、イワヒバは、植物でいう茎に相当する部分が存在せず、高さが非常に低い。このため、イワヒバ株を直接鉢植えする培養方法よりも、むしろ岩や石、木等のある程度の高さをもった被植栽体に対してイワヒバ株を植え付けた方が、観賞用としては好適なものとなる。特に被植栽体が複数のイワヒバによって装飾されていると、より人の関心を惹くものとなり、観葉植物としての価値を向上させることも可能となる。
【０００８】
しかしながら、このような被植栽体に対してイワヒバ株を植え付ける方法が従来において案出されていなかった。
【０００９】
そこで、本発明は、岩や石、木等のある程度の高さをもった被植栽体に対してイワヒバ株を植え付ける方法を提案することを目的とする。
【課題を解決するための手段】
【００１０】
本発明を適用したイワヒバ株の植付け方法は、イワヒバ株を植え付けるための被植栽体に対して、当該イワヒバ株の植付け箇所に応じた位置に穴を開削する工程と、上記被植栽体表面における上記穴が開削された位置にイワヒバ株の根を密着させた上で、当該イワヒバ株の根を介して上記穴に木製の棒体を打ち込む工程と、上記打ち込んだ棒体が上記根により被覆される長さまで切り落とす工程とを有することを特徴とする
【発明の効果】
【００１１】
本発明では、被植栽体表面における穴が開削された位置にイワヒバ株の根を密着させた上で、イワヒバ株の根を介して穴に棒体を打ち込む工程を入れている。イワヒバ株の根は、この打ち込まれた棒体に絡まり、穴の奥へと挿入されていくことになることから、イワヒバ株の被植栽体への固定性を向上させることが可能となり、ひいては、被植栽体の側面においてもイワヒバ株を強固に固定することができる。また、これに伴い、被植栽体が複数のイワヒバ株によって装飾することができ、より人の関心を惹くものとなり、観葉植物としての価値を向上させることが可能となる。
【発明を実施するための最良の形態】
【００１２】
以下、本発明を実施するための最良の形態として、古典的園芸植物であるイワヒバを被植栽体に植え付けるイワヒバ株の植付け方法について、図面を参照しながら詳細に説明する。
【００１３】
先ず、最初に図１に示すように、イワヒバ株を植え付けるための被植栽体１を用意する。この被植栽体１は、例えば岩や石、木、溶岩等の天然物を想定しているがこれに限定されるものではなく、人工的に加工されたものを適用するようにしてもよい。
【００１４】
次に、この被植栽体１に対して穴２を開削する。この穴２の開削位置は、イワヒバ株の植付け箇所に対応している。即ち、この穴２が開削された箇所に、後述の如くイワヒバ株が植え付けられることになるため、製作者は、イワヒバのレイアウトを十分に想定した上でこの穴２の開削位置を選定してくことになる。
【００１５】
なお、この穴２の深さに関しては、１．５〜２．０ｃｍとすることが望ましい。しかし、植え付けるイワヒバ株のサイズや高さが大きくなるに従って、穴２の深さをこれより増加させるようにしてもよく、また、穴の直径を増加させるようにしてもよい。また、穴２の開削数は、一のイワヒバ株に対して２つ程度とすることが望ましいが、これもイワヒバ株のサイズによって増減させるようにしてもよい。
【００１６】
因みに、この穴２の開削方法は、いかなる器具や方法を適用するようにしてもよいが、例えばドリルで開削を行うようにしてもよく、また釘等を開削位置にあてがった上で、ハンマー等でこれを打ちつけることにより実行してもよい。
【００１７】
次に、図２に示すように、被植栽体１表面における穴２が開削された位置にイワヒバ株３の根３ａを密着させる。このとき、根３ａに付いている少量の土を落とさないようにしながら行う。特に被植栽体１とイワヒバ株３の根３ａの間に空隙があると、新たな根が被植栽体１に根付くことがなくなり、最悪のケースではイワヒバが枯れてしまう場合もある。このため、被植栽体１とイワヒバ株３の根３ａに空隙ができないようにしっかりと押し付けておくことが望ましい。
【００１８】
次に、図３に示すようにイワヒバ株３の根３ａを介して穴２に木製の棒体４を打ち込む。この棒体４としては、例えば割り箸や、食肉を刺しておくための竹串等を用いることが望ましい。棒体４を穴２に打ち込む際には、イワヒバ株３の根３ａを被植栽体１に押さえつけた状態で、棒体４の頭部をハンマー等で叩くことにより打ち込むようにしてもよい。
【００１９】
次に、図４に示すように、打ち込んで固定した棒体４を切断する。このとき、棒体４が根３ａにより被覆される長さまで切り落とす。この切り落とし時においては、イワヒバ株３の根３ａをできるだけ被植栽体１表面に向けて手で押し込んだ状態で棒体４を切断することにより、棒体４の表面からの突出量を極力小さくすることができる。イワヒバ株４を押し込んでいた手を離すと、根３ａが若干浮き上がり、棒体４の切断面が根３ａにより被覆されることになる。即ち、棒体４の切断面が表面に露出しないように根３ａの中に隠れる長さとしておくことにより、当該切断面が人の目につくことがなくなり、仕上がりをきれいに見せることが可能となる。
【００２０】
最後に、イワヒバ株３の周囲を石と良く馴染むようにハンマー等で叩いて仕上げを行っていく。
【００２１】
また、イワヒバの姿を良く見せる為に、竹串等を使用して整形を行うようにしてもよい。このときは、例えばイワヒバ株３の茎に棒体４を貫通させることにより、これを直立させるようにしてもよい。
【００２２】
上述の如き植付け方法に基づいて複数のイワヒバ株３を被植栽体１に植え付けた例を図５に示す。被植栽体１が複数のイワヒバ株３によって装飾することができ、より人の関心を惹くものとなり、観葉植物としての価値を向上させることが可能となる。
【００２３】
特に本発明では、被植栽体１表面における穴２が開削された位置にイワヒバ株３の根３ａを密着させた上で、イワヒバ株３の根３ａを介して穴２に棒体４を打ち込む工程を入れている。イワヒバ株３の根３ａは、この打ち込まれた棒体４に絡まり、穴２の奥へと挿入されていくことになることから、イワヒバ株３の被植栽体１への固定性を向上させることが可能となり、ひいては、被植栽体１の側面においてもイワヒバ株３を強固に固定することができる。また、棒体４を木製とすることにより、イワヒバ株３の根３ａとうまく絡むことによりこれらを一体化させることも可能となる。
【図面の簡単な説明】
【００２４】
【図１】イワヒバ株を植え付けるための被植栽体を示す図である。
【図２】被植栽体表面における穴が開削された位置にイワヒバ株の根を密着させる場合について説明するための図である。
【図３】イワヒバ株の根を介して穴に木製の棒体を打ち込む例について説明するための図である。
【図４】打ち込んで固定した棒体を切断した状態について示す図である。
【図５】複数のイワヒバ株を被植栽体に植え付けた例を示す図である。
【符号の説明】
【００２５】
１  被植栽体
２  穴
３  イワヒバ株
４  棒体
【図１】
2007312729.tif 000003
【図２】
2007312729.tif 000004
【図３】
2007312729.tif 000005
【図４】
2007312729.tif 000006
【図５】
2007312729.tif 000007